(57)【特許請求の範囲】
【請求項１】
放送番組の映像を編集するための映像素材の指定情報が時刻情報に対応付けられたコンテンツ毎に記述されているキューシートのデータを記憶するキューシート記憶手段と、
前記キューシートに従って編集された映像のデータを時刻情報に対応付けて記憶する編集映像記憶手段と、
前記キューシート記憶手段に記憶されたキューシートデータの各コンテンツ毎に、前記編集映像記憶手段に記憶されている編集映像データ中の対応する映像区間を、そのそれぞれに対応付けられた時刻情報に基づき特定する映像区間特定手段と、
前記キューシート記憶手段に記憶されたキューシートデータの各コンテンツに対し、前記映像区間特定手段によりそれぞれ特定された編集映像の区間情報を対応付けたキューシート／編集映像関連データを作成するキューシート／編集映像関連付手段と
を具備したことを特徴とする放送番組管理装置。
【請求項２】
さらに、
前記キューシート記憶手段に記憶されているキューシートデータの任意のコンテンツを指定するコンテンツ指定手段と、
このコンテンツ指定手段により指定された任意のキューシートコンテンツに対応する区間の前記編集映像記憶手段に記憶されている編集映像を、前記キューシート／編集映像関連付手段により作成されたキューシート／編集映像関連データに基づき検索する映像検索手段と
を備えたことを特徴とする請求項１に記載の放送番組管理装置。
【請求項３】
１つ又は複数の映像素材が編集された映像のデータを記憶する編集映像記憶手段と、
前記映像素材のデータを記憶する映像素材記憶手段と、
前記編集映像記憶手段に記憶されている編集映像のデータを複数の映像区間に分割する映像分割手段と、
この映像分割手段により分割された映像区間毎の編集映像に編集された前記映像素材記憶手段に記憶されている映像素材を判定する映像素材判定手段と、
前記映像分割手段により分割された編集映像の各分割区間情報に対し、前記映像素材判定手段によりそれぞれ編集された映像素材として判定された該映像素材の区間情報を対応付けた編集映像／映像素材関連データを作成する編集映像／映像素材関連付手段と
を具備したことを特徴とする放送番組管理装置。
【請求項４】
さらに、
前記編集映像記憶手段に記憶されている編集映像とこれに対応する区間の前記映像素材記憶手段に記憶されている映像素材とを、前記編集映像／映像素材関連付手段により作成された編集映像／映像素材関連データに基づき相互に検索する編集映像／映像素材相互検索手段と
を備えたことを特徴とする請求項３に記載の放送番組管理装置。
【請求項５】
放送番組の映像を編集するための映像素材の指定情報が時刻情報に対応付けられたコンテンツ毎に記述されているキューシートのデータを記憶するキューシート記憶手段と、
前記映像素材のデータを記憶する映像素材記憶手段と、
前記キューシートに従って前記映像素材記憶手段に記憶されている１つ又は複数の映像素材が編集された映像のデータを時刻情報に対応付けて記憶する編集映像記憶手段と、
前記キューシート記憶手段に記憶されたキューシートデータの各コンテンツ毎に、前記編集映像記憶手段に記憶されている編集映像データ中の対応する映像区間を、そのそれぞれに対応付けられた時刻情報に基づき特定する映像区間特定手段と、
前記キューシート記憶手段に記憶されたキューシートデータの各コンテンツに対し、前記映像区間特定手段によりそれぞれ特定された編集映像の区間情報を対応付けたキューシート／編集映像関連データを作成するキューシート／編集映像関連付手段と、
前記編集映像記憶手段に記憶されている編集映像のデータを複数の映像区間に分割する映像分割手段と、
この映像分割手段により分割された映像区間毎の編集映像に編集された前記映像素材記憶手段に記憶されている映像素材を判定する映像素材判定手段と、
前記映像分割手段により分割された編集映像の各分割区間情報に対し、前記映像素材判定手段によりそれぞれ編集された映像素材として判定された該映像素材の区間情報を対応付けた編集映像／映像素材関連データを作成する編集映像／映像素材関連付手段と
を具備したことを特徴とする放送番組管理装置。
【請求項６】
さらに、
前記キューシート記憶手段に記憶されているキューシートデータのコンテンツと、このコンテンツに対応する区間の前記編集映像記憶手段に記憶されている編集映像と、この編集映像に対応する区間の前記映像素材記憶手段に記憶されている映像素材とを、前記キューシート／編集映像関連付手段により作成されたキューシート／編集映像関連データ及び前記編集映像／映像素材関連付手段により作成された編集映像／映像素材関連データに基づき相互に検索する編集映像相互検索手段と
を備えたことを特徴とする請求項５に記載の放送番組管理装置。
【請求項７】
放送番組の映像を編集するための映像素材の指定情報が時刻情報に対応付けられたコンテンツ毎に記述されているキューシートのデータを記憶するキューシート記憶ステップと、
前記キューシートに従って編集された映像のデータを時刻情報に対応付けて記憶する編集映像記憶ステップと、
前記キューシート記憶ステップにて記憶されたキューシートデータの各コンテンツ毎に、前記編集映像記憶ステップにて記憶された編集映像データ中の対応する映像区間を、そのそれぞれに対応付けられた時刻情報に基づき特定する映像区間特定ステップと、
前記キューシート記憶ステップにて記憶されたキューシートデータの各コンテンツに対し、前記映像区間特定ステップにてそれぞれ特定された編集映像の区間情報を対応付けたキューシート／編集映像関連データを作成するキューシート／編集映像関連付ステップと
からなることを特徴とする放送番組管理方法。
【請求項８】
放送番組の映像を管理する放送番組管理装置のコンピュータを制御するためのコンピュータ読み込み可能な放送番組管理処理プログラムを記録した記録媒体であって、
前記コンピュータを、
放送番組の映像を編集するための映像素材の指定情報が時刻情報に対応付けられたコンテンツ毎に記述されているキューシートのデータを記憶するキューシート記憶手段、
前記キューシートに従って編集された映像のデータを時刻情報に対応付けて記憶する編集映像記憶手段、
前記キューシート記憶手段に記憶されたキューシートデータの各コンテンツ毎に、前記編集映像記憶手段に記憶されている編集映像データ中の対応する映像区間を、そのそれぞれに対応付けられた時刻情報に基づき特定する映像区間特定手段、
前記キューシート記憶手段に記憶されたキューシートデータの各コンテンツに対し、前記映像区間特定手段によりそれぞれ特定された編集映像の区間情報を対応付けたキューシート／編集映像関連データを作成するキューシート／編集映像関連付手段、
として機能させるための放送番組管理処理プログラムを記録した記録媒体。
【発明の詳細な説明】
【０００１】
【発明の属する技術分野】
本発明は、放送した番組の映像制作に関わる情報を相互に管理するための放送番組管理装置、放送番組管理方法、及び放送番組管理処理プログラムを記録した記録媒体に関する。
【０００２】
【従来の技術】
従来、放送番組の制作について、例えばニュースを例に取ると、放送用の映像素材の作成から放送までは以下のような手順で行なわれている。
まず、取材者がニュースに関連した現場に取材に行き、映像を撮影してくる。このとき撮影した映像のうち、実際に放送に使われるのはごく一部である。このような現場で撮影された映像素材を放送の［生素材］と呼んでいる。
【０００３】
このように現場で撮影された映像（生素材）は、放送局もしくは映像編集スタジオに持ち込まれ、放送に適した映像へと編集される。現場で撮影された生素材のほとんどの部分がこの編集によりカットされ、厳選されたごく一部だけが使用される。このようにして編集された放送用の映像素材を［白素材］と呼んでいる。
【０００４】
放送のスケジュールは、通常［キューシート］と呼ばれるスケジュール表によって記述される。このキューシートには、時間毎に使用される白素材や、画面に重ねて表示するテロップ，ＣＧ、そして生放送される場合にはスタジオや撮影カメラ等の特定情報、コンテンツ，出演者等の情報が記述されている。このキューシートのスケジュールに従って前記画面に重ねて表示する各素材のスイッチングが行なわれ、放送用の素材が切り替わり送出される。最終的に放送された映像は［完パケ］と呼ばれている。
【０００５】
放送局では、放送された［完パケ］は全てテープ等の形で保管されている。また、一部の白素材も保管されている。長期間放送が続くと、保管されている完パケ，白素材の量は莫大なものとなり、何らかの方法で管理することが必要になってくる。すなわち、過去に制作した映像を参考にしたり、過去に放送した白素材を再び放送に使用したりする場合に、検索ができるような仕組みが必要になる。
【０００６】
現在では、手書きで［完パケ］や［白素材］の内容をメモしている。そして、検索時には、人の記憶を頼りにメモを探し、メモからテープの場所やテープ番号の情報を得ている。
【０００７】
また、手書きメモではなく、パソコンやワープロ等により電子化して［完パケ］［白素材］に関する情報を記録しておく場合もあるが、このときにもやはり人がいちいち映像の内容等の検索に必要な情報を入力している。
【０００８】
そして、このような方法で映像の保管場所やテープを特定した場合には、次に、特定したテープの早送り，巻き戻しを行ない、所望の映像場面を探し出す。このような操作により、［完パケ］や［白素材］における所望の映像場面の検索が行なわれている。
【０００９】
【発明が解決しようとする課題】
前記従来の技術で説明したように、手書きメモに基づいた［完パケ］［白素材］の検索では、人の記憶を頼りに検索を行なわなければならないため、特定の人にしか検索が行なえず、また、非常に手間や時間の掛かる問題がある。
【００１０】
また、電子化した［完パケ］［白素材］の保管情報を頼りに検索する場合でも、その保管情報の作成に際し、各完パケや白素材に関する放送日，番組名，内容等の情報の入力が非常に面倒で時間が掛かるという問題がある。
【００１１】
そして、ある番組の［完パケ］やそれに使用したであろう［白素材］を検索できても、特定の映像区間を探すのには、さらに時間が掛かるという問題がある。
本発明は、前記のような問題に鑑みなされたもので、任意の番組の特定区間の映像、及び該特定映像区間に関する制作情報を容易に得ることが可能になる放送番組管理装置、放送番組管理方法、及び放送番組管理処理プログラムを記録した記録媒体を提供することを目的とする。
【００１２】
【課題を解決するための手段】
すなわち、本発明に係わる第１の放送番組管理装置は、放送番組の映像を編集するための映像素材の指定情報が時刻情報に対応付けられたコンテンツ毎に記述されているキューシートのデータを記憶するキューシート記憶手段と、前記キューシートに従って編集された映像のデータを時刻情報に対応付けて記憶する編集映像記憶手段と、前記キューシート記憶手段に記憶されたキューシートデータの各コンテンツ毎に、前記編集映像記憶手段に記憶されている編集映像データ中の対応する映像区間を、そのそれぞれに対応付けられた時刻情報に基づき特定する映像区間特定手段と、前記キューシート記憶手段に記憶されたキューシートデータの各コンテンツに対し、前記映像区間特定手段によりそれぞれ特定された編集映像の区間情報を対応付けたキューシート／編集映像関連データを作成するキューシート／編集映像関連付手段とを具備したことを特徴とする。
【００１３】
つまり、本発明に係わる第１の放送番組管理装置では、キューシート記憶手段に記憶されたキューシートデータの各コンテンツ毎に、編集映像記憶手段に記憶されている編集映像データ中の対応する映像区間が、そのそれぞれに対応付けられた時刻情報に基づき特定され、前記キューシート記憶手段に記憶されたキューシートデータの各コンテンツに対し、前記映像区間の特定手段によりそれぞれ特定された編集映像の区間情報を対応付けたキューシート／編集映像関連データが作成されるので、例えば放送終了時にキューシートの各コンテンツと編集映像との対応情報をメモ等により残しておかなくても、前記キューシート／編集映像関連データに基づき、任意のキューシートコンテンツを指定して対応する編集映像区間を容易に検索できることになる。
【００１４】
また、本発明に係わる第２の放送番組管理装置は、１つ又は複数の映像素材が編集された映像のデータを記憶する編集映像記憶手段と、前記映像素材のデータを記憶する映像素材記憶手段と、前記編集映像記憶手段に記憶されている編集映像のデータを複数の映像区間に分割する映像分割手段と、この映像分割手段により分割された映像区間毎の編集映像に編集された前記映像素材記憶手段に記憶されている映像素材を判定する映像素材判定手段と、前記映像分割手段により分割された編集映像の各分割区間情報に対し、前記映像素材判定手段によりそれぞれ編集された映像素材として判定された該映像素材の区間情報を対応付けた編集映像／映像素材関連データを作成する編集映像／映像素材関連付手段とを具備したことを特徴とする。
【００１５】
つまり、本発明に係わる第２の放送番組管理装置では、編集映像記憶手段に記憶されている編集映像のデータが複数の映像区間に分割され、この分割された映像区間毎の編集映像に編集された映像素材記憶手段に記憶されている映像素材が判定され、前記映像分割された編集映像の各分割区間情報に対し、前記映像素材判定によりそれぞれ編集された映像素材として判定された該映像素材の区間情報を対応付けた編集映像／映像素材関連データが作成されるので、例えば編集映像制作時に該編集映像各部に編集使用した映像素材との対応情報をメモ等により残しておかなくても、前記編集映像／映像素材関連データに基づき、任意の編集映像区間に対応する映像素材区間を容易に且つ相互に検索できることになる。
【００１６】
さらに、本発明に係わる第３の放送番組管理装置は、放送番組の映像を編集するための映像素材の指定情報が時刻情報に対応付けられたコンテンツ毎に記述されているキューシートのデータを記憶するキューシート記憶手段と、前記映像素材のデータを記憶する映像素材記憶手段と、前記キューシートに従って前記映像素材記憶手段に記憶されている１つ又は複数の映像素材が編集された映像のデータを時刻情報に対応付けて記憶する編集映像記憶手段と、前記キューシート記憶手段に記憶されたキューシートデータの各コンテンツ毎に、前記編集映像記憶手段に記憶されている編集映像データ中の対応する映像区間を、そのそれぞれに対応付けられた時刻情報に基づき特定する映像区間特定手段と、前記キューシート記憶手段に記憶されたキューシートデータの各コンテンツに対し、前記映像区間特定手段によりそれぞれ特定された編集映像の区間情報を対応付けたキューシート／編集映像関連データを作成するキューシート／編集映像関連付手段と、前記編集映像記憶手段に記憶されている編集映像のデータを複数の映像区間に分割する映像分割手段と、この映像分割手段により分割された映像区間毎の編集映像に編集された前記映像素材記憶手段に記憶されている映像素材を判定する映像素材判定手段と、前記映像分割手段により分割された編集映像の各分割区間情報に対し、前記映像素材判定手段によりそれぞれ編集された映像素材として判定された該映像素材の区間情報を対応付けた編集映像／映像素材関連データを作成する編集映像／映像素材関連付手段とを具備したことを特徴とする。
【００１７】
つまり、本発明に係わる第３の放送番組管理装置では、キューシート記憶手段に記憶されたキューシートデータの各コンテンツ毎に、編集映像記憶手段に記憶されている編集映像データ中の対応する映像区間が、そのそれぞれに対応付けられた時刻情報に基づき特定され、前記キューシート記憶手段に記憶されたキューシートデータの各コンテンツに対し、前記映像区間の特定手段によりそれぞれ特定された編集映像の区間情報を対応付けたキューシート／編集映像関連データが作成されると共に、前記編集映像記憶手段に記憶されている編集映像のデータが複数の映像区間に分割され、この映像分割により分割された映像区間毎の編集映像に編集された映像素材記憶手段に記憶されている映像素材が判定され、前記映像分割により分割された編集映像の各分割区間情報に対し、前記映像素材判定によりそれぞれ編集された映像素材として判定された該映像素材の区間情報を対応付けた編集映像／映像素材関連データが作成されるので、例えば放送終了時にキューシートの各コンテンツや編集映像，映像素材との対応情報をメモ等により残しておかなくても、前記キューシート／編集映像関連データ及び編集映像／映像素材関連データに基づき、所望の放送番組コンテンツに対応する編集映像及びこれに編集使用された映像素材を容易に且つ相互に検索できることになる。
【００１８】
【発明の実施の形態】
以下図面により本発明の実施の形態について説明する。
図１は本発明の実施形態に係わる放送番組管理装置の電子回路の構成を示すブロック図である。
【００１９】
この放送番組管理装置はコンピュータからなる制御部（ＣＰＵ）１１を備えている。
この制御部（ＣＰＵ）１１は、キーボードやマウスを有する入力装置１２からの操作入力信号に応じて、ＲＯＭ１３に予め記憶されているシステムプログラムを起動させ、あるいはフロッピディスク（ＦＤ）等の外部記憶媒体（記録媒体）１５に記録されている管理装置制御プログラムを磁気ディスク装置（ＦＤＤ）等の外部記憶読み取り部１４を介して起動させ、これら起動されたプログラムに従ってＲＡＭ１６をワークメモリとし回路各部の動作の制御を行なうものでる。
【００２０】
前記制御部（ＣＰＵ）１１には、前記入力装置１２、ＲＯＭ１３、外部記憶読み取り部１４、ＲＡＭ１６が接続される他、それぞれ光ディスク装置等の大容量の記憶装置を用いてなるキューシート記憶部１７、完パケ記憶部１８、白素材記憶部１９、及び表示装置２０が接続される。
【００２１】
前記キューシート記憶部１７には、例えば放送された各番組毎の時間経過に応じたスケジュールを示すキューシートデータ（図５参照）が、例えばテーブルデータ形式にして記憶される。このキューシートデータには、時間毎に使用する白素材や、画面に重ねて表示するテロップ，ＣＧ、そして生放送される場合にはスタジオや撮影カメラ等の特定情報、コンテンツ，出演者等の情報が記述される。
【００２２】
前記完パケ記憶部１８には、前記キューシートに示されるスケジュールに従って各番組毎の最終的に放送された映像データ、つまり完パケデータが、例えば圧縮されたディジタル画像データとして記憶される。なお、この完パケ記憶部１８に記憶される完パケデータには、個々の映像フレーム毎にその放送時刻（日・時・分・秒）が対応付けられて記憶される。
【００２３】
前記白素材記憶部１９には、現場撮影の生素材から放送用に編集された映像素材、つまり白素材データが、例えば圧縮されたディジタル画像データとして記憶される。なお、この白素材記憶部１９に記憶される白素材データにも、個々の映像フレーム毎に経過時刻（時・分・秒）が対応付けられて記憶される。
【００２４】
ＲＡＭ１６には、入力データメモリ１６ａ、表示データメモリ１６ｂ、キューシート／完パケ関連データメモリ１６ｃ、完パケ／白素材関連データメモリ１６ｄ、キューシート／白素材関連データメモリ１６ｅ、及びワークデータメモリ１６ｆ等が備えられる。
【００２５】
入力データメモリ１６ａには、入力装置１２により入力されたデータが、文字コードや命令コード等のコードデータとして記憶される。
表示データメモリ１６ｂには、表示装置２０に表示すべきデータがビットマップ形式のデータとして記憶される。
【００２６】
図２は前記放送番組管理装置のＲＡＭ１６に備えられたキューシート／完パケ関連データメモリ１６ｃにおける記憶データの内容を示す図である。
このキューシート／完パケ関連データメモリ１６ｃに記憶されるキューシート／完パケ関連データは、ＲＯＭ１３あるいは記憶媒体１５に放送番組管理処理プログラムとして記憶されているキューシート／完パケ関連付処理（図７参照）に従い作成されて記憶されるもので、キューシート記憶部１７に記憶されているキューシートデータに記述された各コンテンツ（内容）のそれぞれに対し、完パケ記憶部１８に記憶されている完パケデータの映像区間を特定するフレーム時刻・記憶アドレスと、前記キューシートデータの該当コンテンツの範囲内から抽出された放送時刻，内容，撮影場所，出演者等の関連情報とが、対応付けられて記憶される。
【００２７】
図３は前記放送番組管理装置のＲＡＭ１６に備えられた完パケ／白素材関連データメモリ１６ｄにおける記憶データの内容を示す図である。
この完パケ／白素材関連データメモリ１６ｄに記憶される完パケ／白素材関連データは、ＲＯＭ１３あるいは記憶媒体１５に放送番組管理処理プログラムとして記憶されている完パケ／白素材関連付処理（図１０・図１１参照）に従い作成されて記憶されるもので、完パケ記憶部１８に記憶されている完パケデータを１カット毎のショットに分割した状態での各完パケショット毎のフレーム時刻・記憶アドレスに対し、白素材記憶部１９に記憶されている白素材データの映像区間を特定するフレーム時刻・記憶アドレスが対応付けられて記憶される。
【００２８】
図４は前記放送番組管理装置のＲＡＭ１６に備えられたキューシート／白素材関連データメモリ１６ｅにおける記憶データの内容を示す図である。
このキューシート／白素材関連データメモリ１６ｅに記憶されるキューシート／白素材関連データは、ＲＯＭ１３あるいは記憶媒体１５に放送番組管理処理プログラムとして記憶されているキューシート／白素材関連付処理（図１３参照）に従い作成されて記憶されるもので、キューシート記憶部１７に記憶されているキューシートデータに記述された各コンテンツ（内容）のそれぞれに対し、白素材記憶部１９に記憶されている白素材データの映像区間を特定するフレーム時刻・記憶アドレスと、前記キューシートデータの該当コンテンツの範囲内から抽出された放送時刻，内容，撮影場所，出演者等の関連情報とが、対応付けられて記憶される。
【００２９】
ワークデータメモリ１６ｆには、ＲＯＭ１３あるいは記憶媒体１５に記憶された各種のシステムプログラムに従い制御部（ＣＰＵ）１１にて入出力されるデータが、必要に応じて一時的に記憶保持される。
【００３０】
次に、前記構成による放送番組管理装置における放送番組管理用各関連データの作成処理に伴なう動作、及び作成された各関連データに基づく特定映像区間の制作情報検索処理に伴なう動作について説明する。
【００３１】
図５は前記放送番組管理装置のキューシート記憶部１７に記憶されるキューシートデータの一例を示す図である。
キューシートデータには、時間経過に伴ない放送される放送内容（コンテンツ）、撮影するスタジオ名，中継場所，映像を再生するＶＴＲ名，白素材のＩＤ，テロップとその内容，合成されるＣＧの内容，出演者，しゃべり出しの言葉等の情報が書き込まれている。また、時間は、コンテンツ毎に区切られており、図５におけるニュース番組のキューシートデータでは、「オープニング」「あいさつ」「ヘッドライン」等のコンテンツで時間が区切られている。このようなキューシートデータに記述されたスケジュールに従って、［白素材］や撮影カメラを切り替える等して実際に放送される映像［完パケ］が作られる。
【００３２】
前記キューシートデータは、ワードプロセッサ等の計算機上の専用アプリケーションソフトによって作成されるものであるが、手書きによりキューシートが作成されている場合には、イメージスキャナにより手書きのキューシートを計算機上に読み込んだ後、専用の文書構造解析処理と文字認識処理により、はじめから計算機上でキューシートデータを作成したのと同様の電子化情報として得ることができる。
【００３３】
（キューシート／完パケ関連データの作成）
図６は前記放送番組管理装置においてキューシートデータに記述されたコンテンツ（内容）と完パケデータの映像区間との間に関連付けを行なう際の概念を示す図である。
【００３４】
まず、キューシートデータはキューシート記憶部１７に、また、完パケデータは完パケ記憶部１８に記憶されている。
ディジタル化されている完パケデータは、時刻情報を有しており、どこの映像部分がどの時刻に放送されたかを特定できるようになっている。なお、この時刻情報は、完パケの映像情報に含まれていてもよいし、別のファイルとして時刻とフレーム（及び映像データのアドレス）の対応表として持っていてもよいい。
【００３５】
図６の概念図にあっては、キューシートデータの「１３時１分４５秒」から「１３時２分１０秒」までの内容が、完パケデータの中で実際に「１３時１分４５秒」から「１３時２分１０秒」までに放送された映像区間に対して関連付けされていることを示している。
【００３６】
図７は前記放送番組管理装置におけるキューシート／完パケ関連付処理を示すフローチャートである。
まず、キューシート記憶部１７に記憶されているキューシートデータの記述情報のうち、関連付けのための情報としてコンテンツ（内容）が一つ選択され、ＲＡＭ１６内のキューシート／完パケ関連データメモリ１６ｃに記憶される（ステップＳ１）。これは、単純に時刻の早いものから順に選択すればよい。例えば図５で示したキューシートデータの場合には、コンテンツは「オープニング」→「あいさつ」→「ヘッドライン」→「▲１▼衆議院選挙」の順で選択されていく。
【００３７】
１つのコンテンツが選択記憶されると、コンテンツの開始時刻と終了時刻が同キューシートデータから抽出される（ステップＳ２）。例えばコンテンツ「あいさつ」は、開始時刻が「０時０分１５秒」であり、終了時刻が「０時０分４５秒」である。
【００３８】
コンテンツの開始・終了時刻が抽出されると、その時間に対応する完パケデータの映像区間がフレーム時刻及び記憶アドレスで特定され、前記キューシート／完パケ関連データメモリ１６ｃに選択記憶されたコンテンツに対応付けられて記憶される。これは、完パケデータ記憶部１８に記憶されている完パケデータが有する時刻情報を参照することにより行なわれる（ステップＳ３）。
【００３９】
そして、前記選択されたコンテンツ及びこのコンテンツに対応して特定された完パケデータの映像区間情報には、さらに、キューシートデータ内の対応するコンテンツの範囲に記述されている情報が対応付けられて記憶される（ステップＳ４）。キューシートデータに記述されている情報とは、選択されているコンテンツの欄に記述されている情報のことであり、図５のキューシートデータにおけるコンテンツ「あいさつ」では、撮影場所が「スタジオ１」であること、出演者が「東京太郎と大阪花子」であること、テロップ「Ｔ−１」と「Ｔ−２」が重ねて表示されたこと等の情報である。
【００４０】
このように、キューシートデータのコンテンツに対する、完パケデータの映像区間情報とその関連情報との対応付けが、全てのコンテンツについて繰り返し行なわれることで（ステップＳ５→Ｓ１〜Ｓ５）、例えばある放送番組におけるキューシート／完パケ関連データが作成されてキューシート／完パケ関連データメモリ１６ｘに記憶される。
【００４１】
（キューシートによる完パケ特定映像区間の検索）
図８は前記放送番組管理装置のキューシート／完パケ関連付処理に伴ない作成されたキューシート／完パケ関連データに基づくキューシートからの完パケ検索再生状態を示す図である。
【００４２】
入力装置１２からの指示によりキューシート記憶部１７から読み出され、図８（Ａ）に示すように表示装置２０に表示されたキューシート再生ウインドウ２０ａ上の任意のコンテンツをマウスのクリック等により指定すると、指定されたコンテンツと関連づけられている完パケデータの特定映像区間の再生が、図８（Ｂ）に示すように完パケ再生ウインドウ２０ｂにて行なわれる。これは、ＲＡＭ１６内のキューシート／完パケ関連データメモリ１６ｃに記憶されているキューシート／完パケ関連データ（図２参照）において、キューシートのコンテンツ毎に対応付けられた完パケの関連情報、すなわち完パケデータの特定映像区間のアドレス情報に基づき、直ちに完パケ記憶部１８に記憶されている完パケデータにアクセスが行なわれることにより実現される。
【００４３】
図９は前記放送番組管理装置のキューシート／完パケ関連付処理に伴ない作成されたキューシート／完パケ関連データに基づく完パケ再生からの映像関連情報の検索表示状態を示す図である。
【００４４】
例えば前記図８で示したキューシートからの完パケ特定映像区間の検索処理あるいは入力装置１２により完パケ記憶部１８に記憶されているある完パケデータを直接指定しての完パケ再生ウインドウ２０ｂ上において、該完パケデータの再生を行なっている最中に、関連情報の表示を行なうボタンをマウスによりクリックすることで、関連情報表示ウインドウ２０ｃが開いて関連情報が表示される。すなわち、図９に示す例では、完パケ再生ウインドウ２０ｂ上で再生中にある完パケ映像の放送された時刻，撮影された場所，コンテンツ，出演者の情報が検索されて表示される。これは、前記ＲＡＭ１６内に作成記憶されたキューシート／完パケ関連データ１６ｃ（図２参照）において、完パケデータの映像区間情報に対応付けられた関連情報を検索表示することにより実現される。
【００４５】
また、前記キューシート／完パケ関連データ１６ｃには、キューシートの各コンテンツ毎に、完パケデータの区間情報及びその関連情報が対応付けされているので、ユーザの入力したテキスト情報と前記関連情報とのマッチングをとることにより、例えば出演者や撮影場所、コンテンツ等のキーワード検索で直接完パケ動画像の検索表示が行なえる。
【００４６】
（完パケ／白素材関連データの作成）
ここでは、完パケ記憶部１８に記憶された最終的な放送映像である完パケデータと、この完パケに使われた映像素材である白素材記憶部１９に記憶された白素材データとの間の関連情報を生成し、ＲＡＭ１６内の完パケ／白素材関連データメモリ１６ｄに記憶させる。そして、この完パケ／白素材関連データを利用して完パケ再生映像からの対応する白素材の映像検索表示を行なう。
【００４７】
まず、完パケ／白素材関連データを生成する際の原理について説明する。
白素材記憶部１９に記憶されている白素材データの映像は、そのまま完パケ記憶部１８に記憶されている完パケデータの何れかの範囲のベース映像として使われているので、完パケデータの中で白素材が使われた部分の画像は、もとの白素材と極めて類似した画像になっている。異なる点は、ノイズによる影響、テロップが重ねられていること等である。従って、相互の異なる点を考慮して完パケ画像と白素材画像との各画像間の類似度のしきい値を予め定め、ある完パケデータにおける任意の映像区間の各フレーム画像に対し、類似度の閾値を満たした白素材の各フレーム画像の範囲を関連付けたデータとして生成するこにより、人手によって完パケの映像区間毎に使用された白素材情報を入力しておく必要はなく、計算機上での画像間の類似判定処理だけで完パケと白素材の関連情報を得ることができる。
【００４８】
図１０は前記放送番組管理装置における完パケ／白素材関連付処理を示すフローチャートである。
まず、完パケ記憶部１８に記憶されている完パケデータの映像、並びに白素材記憶部１９に記憶されている白素材データの映像に対してカット検出処理が施される。カットとは映像の不連続点を指しており、１つのカメラで連続して撮影された映像区間（ショット）のつなぎ目である。
【００４９】
このカット検出処理の手法としては、これまでに様々な手法が提案されており、例えば（情報処理学会論文誌Ｖｏｌ．２２、ｐｐ．５４３−５５０、１９９２）に記された手法を用いる。そして、映像のカットの位置が検出されると、各カット間の映像がショットとして分割され、完パケデータ及び白素材データのそれぞれにおける各ショット毎の映像区間情報（フレーム時刻及び記憶アドレス）が抽出される（ステップＡ１）。
【００５０】
次に、完パケデータの中の先頭のショットに対応する映像区間の各フレーム画像が読み出され、白素材データの中の類似のフレーム画像を有する映像区間が判定される（ステップＡＢ）。この類似判定処理の方法は、後述の図１１における完パケ／白素材フレーム類似判定処理のフローチャートを用いて説明する。
【００５１】
完パケデータのショットに対して類似している白素材が存在していたら、完パケデータのショット毎に類似している白素材との間で、そのそれぞれの映像区間の特定情報（フレーム時刻及び記憶アドレス）が対応付されてＲＡＭ１６内の完パケ／白素材関連データメモリ１６ｄ（図３参照）に記憶される（ステップＡ２）。このような完パケショット毎の白素材との類似判定及びその映像区間の対応付け処理を、完パケデータの全てのショットに対して行なうことにより、完パケ／白素材関連データ１６ｄが生成される（ステップＡ３→Ａ１〜Ａ３）。
【００５２】
図１１は前記放送番組管理装置の完パケ／白素材関連付処理に伴なう完パケ／白素材フレーム類似判定処理を示すフローチャートである。
まず、ステップＡ１において分割された完パケデータのショットに対応する映像区間の中央のフレームが選択され、この完パケショットの中央フレームと白素材データの中から選択された候補フレームとの相関値が算出される（ステップＢ１）。白素材データからの候補フレームの選択方法としては、白素材記憶部１９に記憶されている白素材データの先頭のフレームから順次選択していく方法が最も単純な方法である。また、２つのフレームの相関値の算出方法としては、例えば各フレーム間で対応する各画素同士の画素値差分の絶対値の平均、もしくは対応する各画素同士の画素値差分の平方の平均を、“０”から“１”の間に（画素値の最大値で割る等して）正規化し、“１”から減じる方法があげられる。
【００５３】
そして、前記ステップＢ１において算出された完パケショット中央フレームと白素材候補フレームとの相関値は、予め決められたしきい値と比較され、しきい値以上か否か判断される（ステップＢ２）。
【００５４】
ここで、算出された相関値がしきい値よりも小さいと判断された場合には、完パケショットの中央フレームと白素材候補フレームとは同じ映像ではないと判定され、白素材データから別の候補フレームが選択されて再び完パケショットの中央フレームとの相関値の算出処理に復帰される（ステップＢ２→Ｂ５→Ｂ６→Ｂ１）。
【００５５】
一方、算出された相関値がしきい値以上であると判断された場合には、相関をとった２つのフレームは同じ映像であると判定され、同一完パケショット内で中央フレーム以外の他の完パケフレームのそれぞれについて、前記相関値がしきい値以上として判断された白素材フレームの前後に連続する他の白素材フレームとの相関値の算出処理が行なわれる（ステップＢ２→Ｂ３）。この際、前記ステップＢ２において同一判定された完パケショット中央フレームと白素材候補フレームとの映像位置が合わされ、この完パケショットの中央フレームを基準に該ショット内各フレームに対する白素材中の各フレームとの位置的対応がフレーム時刻及び記憶アドレスを基に取られる。そして、前記位置的対応が取られた完パケショット内の各フレームと白素材中の各フレームとの相関値が順次算出され（ステップＢ３）、あらかじめ定められたしきい値よりも小さな相関値として算出されたフレームの組が存在した場合には、白素材データ中のさらに他の候補フレームが選択され、前記完パケショット中央フレームとの相関値の算出処理に復帰される（ステップＢ４→Ｂ５→Ｂ６→Ｂ１）。
【００５６】
そして、完パケショットの全体のフレームについて算出された白素材中の各フレームとの相関値が全てあらかじめ定められたしきい値よりも大きいと判断された場合には、当該類似判定処理中の完パケショットに対応する区間の映像と白素材対応区間の映像とは類似であると判定され、この類似判定された完パケショットの区間情報（フレーム時刻及び記憶アドレス）と白素材データの区間情報（フレーム時刻及び記憶アドレス）とが対応付されて前記ＲＡＭ１６内の完パケ／白素材関連データメモリ１６ｄに記憶される（ステップＢ４→Ｂ７→Ａ２）。
【００５７】
一方、前記ステップＢ１〜Ｂ６における各フレーム相関値の算出・判断処理が、白素材データにおける新たな候補フレームが無くなるまで繰り返され、完パケショットに対応する区間の映像に対し白素材中の類似の映像区間が抽出される以前に、該白素材中に候補となるフレームが無くなってしまった場合には、当該類似判定処理中の完パケショットに対応する映像と白素材記憶部１９から読み出された白素材データの映像とは類似でないと判定される（ステップＢ５→Ｂ８）。
【００５８】
このように、前記完パケ／白素材関連付処理及びこれに伴なう完パケ／白素材フレーム類似判定処理を、完パケ記憶部１８から読み出された完パケデータの全てのショットに対して行ない、各完パケショット毎の完パケ／白素材関連データ１６ｄを生成することにより、この完パケ／白素材関連データ１６ｄに基づき完パケデータの各ショット映像と白素材データの対応映像部分との相互検索が可能になる。
【００５９】
（完パケ映像と白素材対応映像との相互検索）
図１２は前記放送番組管理装置の完パケ／白素材関連付処理に伴ない作成された完パケ／白素材関連データに基づく完パケ再生からの白素材対応映像の検索表示状態を示す図である。
【００６０】
入力装置１２からの指示により完パケ記憶部１８から選択的に読み出された任意の放送番組の完パケデータの映像を、図１２（Ａ）に示すように、表示装置２０により表示させている完パケ再生ウインドウ２０ｂ上にあって、対応する白素材の映像再生を行なうためのボタンをマウスにより操作すると、完パケ再生ウインドウ２０ｂで再生中の完パケのショット映像にベースとして使用された白素材データの映像が、図１２（Ｂ）に示すように、白素材再生ウインドウ２０ｄ上に再生される。これは、前記ＲＡＭ１６内の完パケ／白素材関連データメモリ１６ｄに作成記憶された完パケ／白素材関連データにおいて、完パケのショット毎に関連付けされた白素材の対応映像区間を特定するアドレス等の情報を参照することにより行なわれる。
【００６１】
また、これとは逆に前記白素材再生ウインドウ２０ｄにおける任意の白素材データの再生中に、当該白素材データが実際にどのように放送されたかを確認するために、入力装置１２により完パケ再生を指示すると、前記同様に完パケ／白素材関連データ１６ｄが参照され、再生中にある白素材の映像が使われた部分の完パケデータの映像が完パケ記憶部１８から読み出されて完パケ再生ウインドウ２０ｂ上に再生表示される。
【００６２】
（キューシート／白素材関連データの作成）
前記キューシート／完パケ関連データ１６ｃでは、キューシートのコンテンツと完パケの映像区間が時間情報により関連付けされてキューシートの各コンテンツに対し完パケデータ内の映像区間情報（フレーム時刻及び記憶アドレス）が対応付けられて記憶され、一方、このキューシートのコンテンツと関連付けされた完パケデータの映像区間は、類似した白素材の映像が存在していれば、前記完パケ／白素材関連データ１６ｄにおいて、完パケデータの各ショット毎の映像区間情報に対し白素材データの対応する映像区間情報が対応付けされて記憶されている。従って、キューシートのコンテンツから対応する完パケの映像区間情報を経由して対応する白素材の映像への検索が可能である。
【００６３】
図１３は前記放送番組管理装置におけるキューシート／白素材関連付処理を示すフローチャートである。
まず、キューシート記憶部１７に記憶されているキューシートデータが読み出され、該キューシートデータ中のコンテンツが選択される（ステップＣ１）。この場合、選択されるコンテンツの順番はどのようにしてもよいが、最も単純な方法は該キューシートデータに付された放送時刻（時間）の順で選択する方法である。
【００６４】
選択されたコンテンツは、完パケの特定映像区間と関連付けされているか否かが、前記ＲＡＭ１６内に生成記憶されたキューシート／完パケ関連データ１６ｃに基づき判断され、関連付けされていない場合には、このキューシート／白素材関連付処理において未だ処理対象となっていないキューシートデータ中の新たなコンテンツが選択されて、再び、当該コンテンツに関連付けられた完パケ映像区間の有無が判断される（ステップＣ２→Ｃ５→Ｃ１，Ｃ２）。
【００６５】
キューシートのコンテンツに関連付けられた完パケの特定映像区間情報が前記キューシート／完パケ関連データ１６ｃ中に存在すると判断されると、次に当該完パケの特定映像区間情報に対し関連付けされている白素材の映像区間情報が存在するか否かが、前記ＲＡＭ１６内に生成記憶された完パケ／白素材関連データ１６ｄに基づき判断される（ステップＣ２→Ｃ３）。
【００６６】
ここで、前記キューシートのコンテンツに関連付けされた完パケの映像区間情報に対し、さらに、関連付けされた白素材の映像区間情報が無いと判断された場合には、前記同様に、このキューシート／白素材関連付処理において未だ処理対象となっていないキューシートデータ中の新たなコンテンツが選択されて、再び、当該コンテンツに関連付けられた完パケ映像区間の有無が判断される（ステップＣ３→Ｃ５→Ｃ１，Ｃ２）。
【００６７】
そして、前記キューシートのコンテンツに関連付けされた完パケの映像区間情報に対し、さらに、関連付けされた白素材の映像区間情報が前記完パケ／白素材関連データ１６ｄ中に存在すると判断されると、図４に示すように、当該キューシートのコンテンツ（内容）に対し、関連付けされている白素材の映像区間情報（フレーム時刻及び記憶アドレス）と、キューシートの同コンテンツに対応して記述された関連情報（時間、撮影場所、出演者、コンテンツ）とが対応付けられて、ＲＡＭ１６内のキューシート／白素材関連データメモリ１６ｅに記憶される（ステップＣ３→Ｃ４）。
【００６８】
この後、前記キューシート記憶部１７から読み出されるキューシートデータの各コンテンツ毎に、未処理のコンテンツが無くなるまで、前記同様に、白素材データの映像区間との関連付け処理が繰り返されることにより、キューシート／白素材関連データ１６ｅが生成される（ステップＣ５→Ｃ１〜Ｃ５）。
【００６９】
（キューシートと白素材対応映像との相互検索）
図１４は前記放送番組管理装置のキューシート／白素材関連付処理に伴ない作成されたキューシート／白素材関連データに基づく白素材再生からのキューシート対応関連情報の検索表示状態を示す図である。
【００７０】
入力装置１２からの指示により白素材記憶部１９から選択的に読み出された任意の白素材データの映像を、図１４（Ａ）に示すように、表示装置２０により表示させている白素材再生ウインドウ２０ｄ上にあって、対応する関連情報の再生を行なうためのボタンをマウスにより操作すると、白素材再生ウインドウ２０ｄで再生中の白素材の映像をベースとして使用した完パケ特定映像区間に関する放送時間やコンテンツ，出演者情報等の制作関連情報が、図１４（Ｂ）に示すように、関連情報表示ウインドウ２０ｃ上に表示される。これは、前記ＲＡＭ１６内のキューシート／白素材関連データメモリ１６ｅに作成記憶されたキューシート／白素材関連データにおいて、キューシートの各コンテンツ毎に関連付けされた白素材の対応映像区間情報及びキューシート関連情報を参照することにより行なわれる。
【００７１】
また、ユーザの入力したテキスト情報と前記関連情報とのマッチングをとることにより、例えば出演者や撮影場所、コンテンツ等のキーワード検索で直接白素材データ中の対応映像部分の検索表示が行なえる。
【００７２】
なお、前記キューシート／白素材関連データ１６ｅを新たに生成しなくても、前記キューシート／完パケ関連データ１６ｃ及び完パケ／白素材関連データ１６ｄの両方を参照することで、キューシートコンテンツ／完パケ対応映像／白素材対応映像／キューシート関連情報それぞれの相互検索表示が可能であるのは勿論である。
【００７３】
したがって、前記構成の放送番組管理装置によれば、キューシート記憶部１７に放送時刻に従って記憶されているキューシートデータの各コンテンツ毎に、完パケ記憶部１８に記憶されている完パケデータ中の対応する映像区間を、該完パケデータに付された放送時刻に基づき特定し、キューシートの各コンテンツに対し、特定された完パケ映像区間の時刻及び記憶アドレスを対応付けたキューシート／完パケ関連データ１６ｃを生成しＲＡＭ１６に記憶するので、このキューシート／完パケ関連データ１６ｃに基づき、任意のキューシートコンテンツを指定して対応する完パケ映像区間を検索再生することができ、放送終了時にキューシートの各コンテンツと完パケとの対応情報をメモ等により残しておかなくても、何時でも、そして誰でも容易に所望の放送番組コンテンツに対応する完パケの映像を呼び出して見ることができる。
【００７４】
また、前記構成の放送番組管理装置によれば、完パケ記憶部１８に記憶されている完パケデータを１カット毎のショットに分割し、この完パケショットの映像に類似する白素材記憶部１９に記憶された白素材中の映像区間を、完パケショット内各フレーム画像に対する白素材各フレーム画像との相関値を算出して判定し、完パケショット毎の映像区間情報に対し、類似判定された白素材の映像区間情報を対応付けた完パケ／白素材関連データ１６ｄを生成しＲＡＭ１６に記憶するので、この完パケ／白素材関連データ１６ｄに基づき、任意の完パケ映像区間に対応する白素材映像区間を相互に検索再生することができ、完パケ制作時に該完パケ各部に使用した白素材との対応情報をメモ等により残しておかなくても、何時でも、そして誰でも容易に任意の完パケ映像に使用された白素材映像を、また、任意の白素材映像を使用した完パケ映像を呼び出して見ることができる。
【００７５】
さらに、前記構成の放送番組管理装置によれば、前記ＲＡＭ１６に記憶されたキューシート／完パケ関連データ１６ｃ及び完パケ／白素材関連データ１６ｄに基づき、キューシート記憶部１７に記憶されているキューシートのコンテンツ毎に、対応する完パケの映像区間情報があること、及びこの完パケ映像区間に対応する白素材の映像区間情報があることが判断され、キューシートのコンテンツに対し白素材の映像区間情報を対応付けたキューシート／白素材関連データ１６ｅを生成しＲＡＭ１６に記憶するので、このキューシート／白素材関連データ１６ｅに基づき、任意のキューシートコンテンツを指定して対応する完パケ映像区間に使用された白素材の映像を検索再生することができ、放送終了時にキューシートの各コンテンツと完パケ及び完パケと白素材との対応情報をメモ等により残しておかなくても、何時でも、そして誰でも容易に所望の放送番組コンテンツに対応する完パケの映像に使用された白素材の映像を呼び出して見ることができる。
【００７６】
また、前記構成の放送番組管理装置によれば、前記ＲＡＭ１６に記憶されるキューシート／完パケ関連データ１６ｃやキューシート／白素材関連データ１６ｅに対しては、さらに、そのそれぞれの関連データが有するキューシートのコンテンツ毎に、各コンテンツ範囲のキューシートに記述された放送時刻，撮影場所，出演者等の制作関連情報が対応付けされて記憶されるので、放送終了時にキューシートの各コンテンツや完パケ，白素材と制作関連情報との対応情報をメモ等により残しておかなくても、何時でも、そして誰でも容易に所望の放送番組コンテンツに対応する完パケの映像及びこれに使用された白素材の映像や、さらにはその映像区間の制作情報を相互に呼び出して見ることができる。
【００７７】
なお、前記実施形態において記載した手法、すなわち、図８のフローチャートに示すキューシート／完パケ関連付処理、図１０，図１１のフローチャートに示す完パケ／白素材関連付処理、図１３のフローチャートに示すキューシート／白素材関連付処理の各手法は、コンピュータに実行させることができるプログラムとして、メモリカード（ＲＯＭカード、ＲＡＭカード等）、磁気ディスク（フロッピーディスク、ハードディスク等）、光ディスク（ＣＤ−ＲＯＭ、ＤＶＤ等）、半導体メモリ等の記憶媒体（外部記録媒体）１５に格納して配布することができる。そして、放送番組管理装置のコンピュータ（制御部）１１は、この記憶媒体１５に記録されたプログラムを外部記憶読み取り部１４を介して読み込み、この読み込んだプログラムによって動作が制御されることにより、前記実施形態において説明した放送番組の各管理機能を実現し、前述した手法による同様の処理を実行することができる。
【００７８】
【発明の効果】
以上のように、本発明に係わる第１の放送番組管理装置によれば、キューシート記憶手段に記憶されたキューシートデータの各コンテンツ毎に、編集映像記憶手段に記憶されている編集映像データ中の対応する映像区間が、そのそれぞれに対応付けられた時刻情報に基づき特定され、前記キューシート記憶手段に記憶されたキューシートデータの各コンテンツに対し、前記映像区間の特定手段によりそれぞれ特定された編集映像の区間情報を対応付けたキューシート／編集映像関連データが作成されるので、例えば放送終了時にキューシートの各コンテンツと編集映像との対応情報をメモ等により残しておかなくても、前記キューシート／編集映像関連データに基づき、任意のキューシートコンテンツを指定して対応する編集映像区間を容易に検索できる。
【００７９】
また、本発明に係わる第２の放送番組管理装置によれば、編集映像記憶手段に記憶されている編集映像のデータが複数の映像区間に分割され、この分割された映像区間毎の編集映像に編集された映像素材記憶手段に記憶されている映像素材が判定され、前記映像分割された編集映像の各分割区間情報に対し、前記映像素材判定によりそれぞれ編集された映像素材として判定された該映像素材の区間情報を対応付けた編集映像／映像素材関連データが作成されるので、例えば編集映像制作時に該編集映像各部に編集使用した映像素材との対応情報をメモ等により残しておかなくても、前記編集映像／映像素材関連データに基づき、任意の編集映像区間に対応する映像素材区間を容易に且つ相互に検索できる。
【００８０】
さらに、本発明に係わる第３の放送番組管理装置によれば、キューシート記憶手段に記憶されたキューシートデータの各コンテンツ毎に、編集映像記憶手段に記憶されている編集映像データ中の対応する映像区間が、そのそれぞれに対応付けられた時刻情報に基づき特定され、前記キューシート記憶手段に記憶されたキューシートデータの各コンテンツに対し、前記映像区間の特定手段によりそれぞれ特定された編集映像の区間情報を対応付けたキューシート／編集映像関連データが作成されると共に、前記編集映像記憶手段に記憶されている編集映像のデータが複数の映像区間に分割され、この映像分割により分割された映像区間毎の編集映像に編集された映像素材記憶手段に記憶されている映像素材が判定され、前記映像分割により分割された編集映像の各分割区間情報に対し、前記映像素材判定によりそれぞれ編集された映像素材として判定された該映像素材の区間情報を対応付けた編集映像／映像素材関連データが作成されるので、例えば放送終了時にキューシートの各コンテンツや編集映像，映像素材との対応情報をメモ等により残しておかなくても、前記キューシート／編集映像関連データ及び編集映像／映像素材関連データに基づき、所望の放送番組コンテンツに対応する編集映像及びこれに編集使用された映像素材を容易に且つ相互に検索できる。
よって、本発明によれば、任意の番組の特定区間の映像、及び該特定映像区間に関する制作情報を容易に得ることが可能になる。
【図面の簡単な説明】
【図１】本発明の実施形態に係わる放送番組管理装置の電子回路の構成を示すブロック図。
【図２】前記放送番組管理装置のＲＡＭに備えられたキューシート／完パケ関連データメモリにおける記憶データの内容を示す図。
【図３】前記放送番組管理装置のＲＡＭに備えられた完パケ／白素材関連データメモリにおける記憶データの内容を示す図。
【図４】前記放送番組管理装置のＲＡＭに備えられたキューシート／白素材関連データメモリにおける記憶データの内容を示す図。
【図５】前記放送番組管理装置のキューシート記憶部に記憶されるキューシートデータの一例を示す図。
【図６】前記放送番組管理装置においてキューシートデータに記述されたコンテンツ（内容）と完パケデータの映像区間との間に関連付けを行なう際の概念を示す図。
【図７】前記放送番組管理装置におけるキューシート／完パケ関連付処理を示すフローチャート。
【図８】前記放送番組管理装置のキューシート／完パケ関連付処理に伴ない作成されたキューシート／完パケ関連データに基づくキューシートからの完パケ検索再生状態を示す図。
【図９】前記放送番組管理装置のキューシート／完パケ関連付処理に伴ない作成されたキューシート／完パケ関連データに基づく完パケ再生からの映像関連情報の検索表示状態を示す図。
【図１０】前記放送番組管理装置における完パケ／白素材関連付処理を示すフローチャート。
【図１１】前記放送番組管理装置の完パケ／白素材関連付処理に伴なう完パケ／白素材フレーム類似判定処理を示すフローチャート。
【図１２】前記放送番組管理装置の完パケ／白素材関連付処理に伴ない作成された完パケ／白素材関連データに基づく完パケ再生からの白素材対応映像の検索表示状態を示す図。
【図１３】前記放送番組管理装置におけるキューシート／白素材関連付処理を示すフローチャート。
【図１４】前記放送番組管理装置のキューシート／白素材関連付処理に伴ない作成されたキューシート／白素材関連データに基づく白素材再生からのキューシート対応関連情報の検索表示状態を示す図。
【符号の説明】
１１  …制御部（ＣＰＵ）、
１２  …入力装置、
１３  …ＲＯＭ、
１４  …外部記憶読み取り部、
１５  …記憶媒体、
１６  …ＲＡＭ、
１６ａ…入力データメモリ、
１６ｂ…表示データメモリ、
１６ｃ…キューシート／完パケ関連データメモリ、
１６ｄ…完パケ／白素材関連データメモリ、
１６ｅ…キューシート／白素材関連データメモリ、
１６ｆ…ワークデータメモリ、
１７  …キューシート記憶部、
１８  …完パケ記憶部、
１９  …白素材記憶部、
２０  …表示装置。
【図１】
0003934780.tif 000002
【図２】
0003934780.tif 000003
【図３】
0003934780.tif 000004
【図４】
0003934780.tif 000005
【図５】
0003934780.tif 000006
【図６】
0003934780.tif 000007
【図７】
0003934780.tif 000008
【図８】
0003934780.tif 000009
【図９】
0003934780.tif 000010
【図１０】
0003934780.tif 000011
【図１１】
0003934780.tif 000012
【図１２】
0003934780.tif 000013
【図１３】
0003934780.tif 000014
【図１４】
0003934780.tif 000015